(57)【要約】【課題】カバー体の裏側に流入した遊技球を排除することが可能な弾球遊技機の提供【解決手段】本発明のパチンコ遊技機１０によれば、角部カバー８６の後面に誘導面８８Ｒを設けたことにより、角部カバー８６の後側に流入した遊技球を、角部カバー８６を取り外すことなく角部カバー８６の側方に排除して回収することができる。【選択図】図１７
2007151588.tif 000002
【特許請求の範囲】
【請求項１】
遊技を行う遊技領域と、
前記遊技領域に遊技球を発射する発射装置と、
前記発射装置を操作するための発射操作部と、
前記発射操作部が貫通したカバー貫通孔を有し、弾球遊技機の前面の一部を覆った操作部後方カバーとを備え、前記操作部後方カバーとその後方のカバー後方部位との間に、遊技球が流入し得る空間を備えた弾球遊技機において、
前記操作部後方カバーの後面から後方に張り出されると共に鉛直方向に対して傾斜した誘導面を有し、前記操作部後方カバーの後側に流入した遊技球を前記誘導面で受けて前記操作部後方カバーの側方に案内する誘導部材を備えたことを特徴とする弾球遊技機。
【請求項２】
前記誘導部材と前記カバー後方部位との間隔を、遊技球１個未満にしたことを特徴とする請求項１に記載の弾球遊技機。
【請求項３】
前記操作部後方カバーは、前記弾球遊技機における横方向の一端側に配置され、
前記誘導部材は、遊技球を前記弾球遊技機における横方向の他端側に案内するように構成されたことを特徴とする請求項１又は２に記載の弾球遊技機。
【請求項４】
前記発射装置は、ベース部材に複数の構成部品を組み付けてなり、
前記操作部後方カバーは、前記ベース部材の一部を覆ったことを特徴とする請求項１乃至３の何れかに記載の弾球遊技機。
【請求項５】
前記ベース部材の一部から前記操作部後方カバーに向かって突出しかつ前記カバー貫通孔の同軸上に配置された操作部連絡部材が備えられ、前記誘導部材は、前記操作部連絡部材の上方を覆ったことを特徴とする請求項４に記載の弾球遊技機。
【請求項６】
前記発射操作部は、回動操作されるダイヤル部と、前記ダイヤル部が受けた回動力を前記発射装置に伝達する伝達軸部とを備え、
前記操作部連絡部材は、前記ベース部材から前方に突出し、前記伝達軸部を回動可能に保持する軸保持部を備え、
前記ベース部材の前面には、遊技球を前記遊技領域に誘導するレール部材の少なくとも一部と、回動して前記レール部材上の遊技球を弾く打撃槌とが組み付けられ、
前記ベース部材と前記誘導部材との間には、前記打撃槌が前記レール部材から離れる方向に回動したときに進入する槌進退隙間が形成され、
前記誘導部材は、前記打撃槌の回動中心の上方位置から下方位置まで延びたことを特徴とする請求項４又は５に記載の弾球遊技機。
【請求項７】
前記弾球遊技機は、遊技機本体を遊技枠体に組み付けてなり、
前記遊技枠体には、前記遊技領域を覆う透過性部材を備えると共に開閉可能に取り付けられた上部カバー体と、前記上部カバー体の下方で前記遊技枠体の構成部位の一部を覆う下部カバー体が取り付けられ、
前記下部カバー体は、遊技球を貯留する皿部材が設けられ開閉可能に取り付けられた皿扉と、前記発射操作部が配置され開閉不可能に取り付けられた前記皿扉とは別体の前記操作部後方カバーとにより構成されたことを特徴とする請求項１乃至６の何れかに記載の弾球遊技機。
【請求項８】
前記誘導部材は、遊技球を前記皿扉側に案内するように構成され、
前記操作部後方カバーには、前記ガラス扉の回動を規制する錠装置の鍵穴を露出させるための鍵穴露出孔が形成されたことを特徴とする請求項７に記載の遊技機。
【請求項９】
前記遊技枠体に設けられて、前記皿扉の後方に位置し、上方から流下した遊技球を受け止める枠体下辺部と、前記枠体下辺部から上方に起立し、前記枠体下辺部で受け止められた遊技球の後方への移動を規制する枠体後部壁とを備えたことを特徴とする請求項７又は８の何れかに記載の遊技機。
【発明の詳細な説明】
【技術分野】
【０００１】
本発明は、前面カバーによって前面を覆われた弾球遊技機に関する。
【背景技術】
【０００２】
図２２に示した従来のパチンコ遊技機は、その前面をガラス扉２Ａ、皿扉２Ｂ、操作部後方カバー２Ｃで覆われ、それらガラス扉２Ａ等とそれらの後方部位１との間に遊技球の移動空間が設けられている。遊技球の移動空間内には遊技球を発射するための発射装置（図示せず）が備えられ、その発射装置を操作するための発射操作部４が操作部後方カバー２Ｃの前側に配置されている。また、操作部後方カバー２Ｃは遊技枠体３に固定される一方、ガラス扉２Ａ、皿扉２Ｂは遊技枠体３に対して開閉可能に取り付けられている。これにより、球詰まりが生じた場合に、ガラス扉２Ａ又は皿扉２Ｂを開いて対応することができる（例えば、特許文献１参照）。
【特許文献１】特開２００５−１５２４７７号公報（段落［００１９］、第２図）
【発明の開示】
【発明が解決しようとする課題】
【０００３】
しかしながら、上記した従来のパチンコ遊技機では、遊技枠体３に固定された操作部後方カバー２Ｃの後側で遊技球の挟み込による不具合が生じ得る。具体的には、回動可能な前面カバー２Ａ，２Ｂを開いた際に、操作部後方カバー２Ｃの後側に遊技球が流入して留まり、その留まった遊技球が発射装置等の可動部分と操作部後方カバー２Ｃとの間に挟まって可動部分の動作を妨げる不具合が生じ得る。また、この不具合が発生することは希ではあるが、発生した場合には、操作部後方カバー２Ｃが遊技枠体３に固定されていること、及び、操作部後方カバー２Ｃが発射装置と発射操作部４との間に配置されて取り外しが困難であること等の理由により、不具合解消に手間と時間を要する。
【０００４】
本願発明は、上記事情に鑑みてなされたもので、操作部後方カバーの後側で遊技球の挟み込みによる不具合が発生することを防止可能な弾球遊技機の提供を目的とする。
【課題を解決するための手段】
【０００５】
上記目的を達成するためになされた請求項１の発明に係る弾球遊技機は、遊技を行う遊技領域と、遊技領域に遊技球を発射する発射装置と、発射装置を操作するための発射操作部と、発射操作部が貫通したカバー貫通孔を有し、弾球遊技機の前面の一部を覆った操作部後方カバーとを備え、操作部後方カバーとその後方のカバー後方部位との間に、遊技球が流入し得る空間を備えた弾球遊技機において、操作部後方カバーの後面から後方に張り出されると共に鉛直方向に対して傾斜した誘導面を有し、操作部後方カバーの後側に流入した遊技球を誘導面で受けて操作部後方カバーの側方に案内する誘導部材を備えたところに特徴を有する。
【０００６】
請求項２の発明は、請求項１に記載の弾球遊技機において、誘導部材とカバー後方部位との間隔を、遊技球１個未満にしたところに特徴を有する。
【０００７】
請求項３の発明は、請求項１又は２に記載の弾球遊技機において、操作部後方カバーは、弾球遊技機における横方向の一端側に配置され、誘導部材は、遊技球を弾球遊技機における横方向の他端側に案内するように構成されたところに特徴を有する。
【０００８】
請求項４の発明は、請求項１乃至３の何れかに記載の弾球遊技機において、発射装置は、ベース部材に複数の構成部品を組み付けてなり、操作部後方カバーは、ベース部材の一部を覆ったところに特徴を有する。
【０００９】
請求項５の発明は、請求項４に記載の弾球遊技機において、ベース部材の一部から操作部後方カバーに向かって突出しかつカバー貫通孔の同軸上に配置された操作部連絡部材が備えられ、誘導部材は、操作部連絡部材の上方を覆ったところに特徴を有する。
【００１０】
請求項６の発明は、請求項４又は５に記載の弾球遊技機において、発射操作部は、回動操作されるダイヤル部と、ダイヤル部が受けた回動力を発射装置に伝達する伝達軸部とを備え、操作部連絡部材は、ベース部材から前方に突出し、伝達軸部を回動可能に保持する軸保持部を備え、ベース部材の前面には、遊技球を遊技領域に誘導するレール部材の少なくとも一部と、回動してレール部材上の遊技球を弾く打撃槌とが組み付けられ、ベース部材と誘導部材との間には、打撃槌がレール部材から離れる方向に回動したときに進入する槌進退隙間が形成され、誘導部材は、打撃槌の回動中心の上方位置から下方位置まで延びたところに特徴を有する。
【００１１】
請求項７の発明は、請求項１乃至６の何れかに記載の弾球遊技機において、弾球遊技機は、遊技機本体を遊技枠体に組み付けてなり、遊技枠体には、遊技領域を覆う透過性部材を備えると共に開閉可能に取り付けられた上部カバー体と、上部カバー体の下方で遊技枠体の構成部位の一部を覆う下部カバー体が取り付けられ、下部カバー体は、遊技球を貯留する皿部材が設けられ開閉可能に取り付けられた皿扉と、発射操作部が配置され開閉不可能に取り付けられた皿扉とは別体の操作部後方カバーとにより構成されたところに特徴を有する。
【００１２】
請求項８の発明は、請求項７に記載の遊技機において、誘導部材は、遊技球を皿扉側に案内するように構成され、操作部後方カバーには、ガラス扉の回動を規制する錠装置の鍵穴を露出させるための鍵穴露出孔が形成されたところに特徴を有する。
【００１３】
請求項９の発明は、請求項７又は８の何れかに記載の遊技機において、遊技枠体に設けられて、皿扉の後方に位置し、上方から流下した遊技球を受け止める枠体下辺部と、枠体下辺部から上方に起立し、枠体下辺部で受け止められた遊技球の後方への移動を規制する枠体後部壁とを備えたところに特徴を有する。
【発明の効果】
【００１４】
［請求項１の発明］
請求項１の構成によれば、操作部後方カバーの後側に流入した遊技球は、操作部後方カバーの後面から後方に張り出された誘導部材の誘導面で受け止められて、その誘導面に沿って操作部後方カバーの側方に排除することができる。これにより、操作部後方カバーの後側に遊技球が留まることがなくなり、操作部後方カバーの後側で遊技球の挟み込みによる不具合が発生することを防止することができる。
【００１５】
［請求項２の発明］
請求項２の構成によれば、誘導部材とカバー後方部位との間隔を、遊技球１個未満にしたので、誘導部材とカバー後方部位との間を遊技球が通過することが防がれ、遊技球を確実に操作部後方カバーの側方に排除することができる。
【００１６】
［請求項３の発明］
請求項３の構成によれば、操作部後方カバーから排除された遊技球は、弾球遊技機における横方向の一端側から他端側に向かって移動し、操作部後方カバーから離れる。
【００１７】
［請求項４の発明］
請求項４の構成によれば、発射装置に備えたベース部材の一部と操作部後方カバーとの間に遊技球が留まることが防がれる。
【００１８】
［請求項５の発明］
請求項５の構成によれば、誘導部材は、ベース部材の一部から突出した操作部連絡部材の上方を覆っているので、操作部連絡部材上に遊技球が落下することが防がれる。
【００１９】
［請求項６の発明］
請求項６の構成によれば、誘導部材は、打撃槌の回動中心の上方位置から下方位置まで延びてその位置まで遊技球を案内するので、誘導部材を通過した遊技球と他の部位との間に遊技球が挟み込まれる不具合を防ぐことができる。
【００２０】
［請求項７の発明］
請求項７の構成によれば、上部カバー体を開いて球詰まりを解消することができる。また、発射操作部が配置される操作部後方カバーが遊技枠体に開閉不可能に取り付けられているので、発射操作部を操作する際における操作部後方カバーのがたつきを防止することができる。
【００２１】
［請求項８の発明］
請求項８の構成によれば、上部カバー体を開いた際に操作部後方カバーの後方に遊技球が流入してもその遊技球を誘導部材が皿扉側に排除するので、皿扉を開いて遊技球を弾球遊技機の外部に排除することが可能になる。
【００２２】
［請求項９の発明］
請求項９の構成によれば、操作部後方カバーの後方に流入して誘導部材により皿扉側に排除された遊技球が、枠体下辺部で受け止められる。また、枠体後部壁によって遊技球が弾球遊技機の後方への移動を規制される。これにより、操作部後方カバーの後方に流入した遊技球を弾球遊技機の前側に排除することができる。
【発明を実施するための最良の形態】
【００２３】
以下、本発明の遊技機としてのパチンコ遊技機１０に係る一実施形態を、図１〜図２１に基づいて説明する。図１に示すパチンコ遊技機１０は、誘導レール１２（本発明に係る「レール部材」に相当する）に囲まれた遊技領域Ｒ１を有し、その遊技領域Ｒ１内に液晶表示部３２を備えている。誘導レール１２は帯状の板金を略円形に湾曲させてなり、遊技板１１の前面から起立している。また、液晶表示部３２は、遊技板１１に貫通形成した略矩形の表示窓１１Ｗに、遊技板１１の後面側から表示装置３０の液晶表示画面３０Ｇを宛がって構成されている。
【００２４】
液晶表示部３２は、遊技領域Ｒ１のうち上寄りかつ向かって右側寄りに配置され、主にその液晶表示部３２の上側、左側、下側に遊技球が流下可能なスペースが確保されている。液晶表示部３２の下側スペースには、その左右方向の中央に、第１及び第２の始動入賞口１４Ａ，１４Ｂ、大入賞口１５及びアウト口１６が、上から順に間隔を開けて並べて設けられ、左右両側部には、誘導レール１２に沿って一般入賞口２０，２１及びサイドランプ２２，２２がそれぞれ設けられている。また、液晶表示部３２の左側スペースには、始動ゲート１８と風車１９とが上下に並べて設けられている。さらに、風車１９の下方には、サイドランプ２２と一体に、普通図柄表示部１８Ｈが設けられている。これら各種入賞口１４Ａ，１４Ｂ，１５，２０，２１，表示装置３０等の役物以外に、遊技領域Ｒ１には、遊技球と当接して流下方向を様々に変化させることが可能な障害釘が分散配置されている。
【００２５】
上記した役物の詳細は、以下のようである。一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球がパチンコ遊技機１０の前面に備えた上皿２６に払い出される。
【００２６】
始動ゲート１８は、遊技球が潜って通過可能な門形構造をなし、通過した遊技球は始動ゲート１８に内蔵された普通図柄始動スイッチによって検出される。この検出信号に基づいて、普通図柄表示部１８Ｈにおいて図柄が変動表示される。具体的には、「０」〜「９」までの数字からなる数字図柄が所定期間に亘って変動表示された後、所定の数字図柄が停止表示される。
【００２７】
第１及び第２の始動入賞口１４Ａ，１４Ｂは、上下方向に並んで配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００２８】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００２９】
各始動入賞口１４Ａ，１４Ｂに遊技球が入賞すると、各始動入賞口１４Ａ，１４Ｂ内に設けた図示しない始動口センサが遊技球を検出し、その検出信号に基づいて、例えば、４個の遊技球が上皿２６に払い出されると共に、表示装置３０の液晶表示部３２において図柄が変動表示される。具体的には、液晶表示部３２には、通常、３つの左、中、右の特別図柄３２Ａ，３２Ｂ，３２Ｃが横並びに表示されている。これら各特別図柄３２Ａ，３２Ｂ，３２Ｃは、例えば、「０」〜「１１」の数字を表記した複数種類のもので構成されており、通常は、各特別図柄３２Ａ，３２Ｂ，３２Ｃごと、所定の種類のものが停止表示されている。そして、始動入賞口１４Ａ，１４Ｂに遊技球が入賞したときに、これら３つの特別図柄３２Ａ，３２Ｂ，３２Ｃが、上下方向にスクロール表示され、所定時間後に、例えば、左、中、右の順で各特別図柄３２Ａ，３２Ｂ，３２Ｃが停止表示される。このとき、例えば、全ての特別図柄３２Ａ，３２Ｂ，３２Ｃが同じ図柄、即ち、ぞろ目になった場合に、遊技が「大当たり状態」になる。なお、液晶表示部３２において特別図柄３２Ａ，３２Ｂ，３２Ｃが変動表示又は「大当たり状態」の最中に始動入賞口１４Ａ，１４Ｂに入賞した場合、その入賞球は最大で４個まで保留記憶され、特別図柄３２Ａ，３２Ｂ，３２Ｃが停止表示又は「大当たり状態」が終了すると、その保留記憶に基づいて再び、特別図柄３２Ａ，３２Ｂ，３２Ｃが変動表示される。
【００３０】
大入賞口１５は、横長矩形に形成されて、常には、可動扉１５Ｔにて閉塞されている。パチンコ遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３１】
大入賞口１５の内部には、計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿２６に払い出される。
【００３２】
図２に示すように、パチンコ遊技機１０は、遊技機本体８１と、その遊技機本体８１が着脱可能に組み付けられる遊技枠体８０とから構成されている。また、遊技機本体８１は、遊技板アッシ１１Ａと機構板アッシ８４Ａとから構成されている。
【００３３】
遊技板アッシ１１Ａは、遊技板１１に上記した始動ゲート１８、風車１９等の各種役物を組み付けると共に、後面側に各種制御装置を組み付けてなる。具体的には、遊技板１１の後面側の上寄り位置には、前記した表示装置３０が取り付けられ、その後面には、表示装置３０を制御するための表示制御装置（図示せず）が取り付けられている。また、その表示制御装置の後面側には、図示しないランプ制御装置及び音声制御装置が横並びにして取り付けられている。そして、これらにより役物に備えたランプの点灯制御、スピーカ１３Ａ（図１参照）からの音声の制御を行っている。さらに、表示装置３０の後面の下側には、メイン制御装置３１Ｃ（図３参照）が重ねられ、遊技板１１の後面から突出した支持体（図示せず）に固定されている。
【００３４】
一方、機構板アッシ８４Ａは、機構板８４に遊技球タンク５５，払出装置５６等を組み付けてなる。機構板８４は、全体として縦長の矩形状をなしかつ遊技板アッシ１１Ａに後方から重ねて配置される。機構板８４のうち遊技板１１との対向部分には、遊技板アッシ１１Ａにおける後方突出部分を受容するための矩形窓８４Ｗが貫通形成されている。この矩形窓８４Ｗは、遊技板アッシ１１Ａの後方突出部分を収容可能な箱形カバー８４Ｃによって閉塞されている。
【００３５】
機構板アッシ８４Ａの後面のうち矩形窓８４Ｗの上側には、遊技球を貯留する遊技球タンク５５が組み付けられている。また、矩形窓８４Ｗの一側方には払出装置５６が設けられ、さらに、矩形窓８４Ｗの下方には払出制御装置５７と電源装置５８とが設けられている。なお、払出装置５６は、遊技球タンク５５から遊技球誘導レール５５Ｒを通して遊技球を受け取り、払出制御装置５７からの指令に応じて遊技球を払い出す。
【００３６】
遊技枠体８０は、外枠８２に前面枠９０を第１ヒンジ機構８０Ｈ（図１参照）にて連結してなる。外枠８２は、４つの木製の長板８３を縦長矩形状に接合して構成されている。この外枠の下端部には、１対のスピーカ１３Ｂ，１３Ｂが備えられている。一方、前面枠９０は、例えば合成樹脂で構成され、遊技板１１に対応した開口部９０Ｗを備えている。そして、前面枠９０のうち開口部９０Ｗの下側は、前後方向に閉塞されて部品が取り付け可能となっている。また、図１に示すように第１ヒンジ機構８０Ｈは、遊技枠体８０のうち一方の側部における上端部と下端部とに配置されている。これら第１ヒンジ機構８０Ｈは、前面枠９０を遊技枠体８０に対して上方にスライドすることで、図２に示すように前面枠９０側のヒンジ構成部９０Ｈと、外枠８２側のヒンジ構成部８２Ｈとに分かれ、これにより外枠８２から前面枠９０を離脱することができる。
【００３７】
前面枠９０の後面には、開口部９０Ｗを取り囲むように囲壁９０Ｖが形成され、その囲壁９０Ｖの内側に遊技板１１が嵌合して固定されている。また、機構板８４は、前面枠９０のうち第１ヒンジ機構８０Ｈを備えた側の側部に第２ヒンジ機構（図示せず）にて連結されている。
【００３８】
図４には、前面枠９０を前面から見た状態が示されている。その前面枠９０の前面上寄り位置には、図２に示すようにガラス扉９５（本発明の「上部カバー体」に相当する）が重ねて設けられている。ガラス扉９５は、前面枠９０のうち第１ヒンジ機構８０Ｈと同じ側の側部に備えた第３ヒンジ機構９５Ｈ（図１参照）にて連結されている。また、ガラス扉９５には、図１に示すように、略円形の窓部９５Ｗが設けられ、ここに図示しないガラス板（本発明の「透過性部材」に相当する）が嵌め込まれている。そして、このガラス板越しに遊技領域Ｒ１を視認することができる。また、ガラス扉９５の前面のうち窓部９５Ｗより上側には、左右に１対のスピーカ１３Ａ，１３Ａが設けられている。さらに、ガラス扉９５のうち窓部９５Ｗの下方には、球抜きボタン２３が設けられている。
【００３９】
ガラス扉９５のうち窓部９５Ｗの下方には、上皿２６が設けられている。上皿２６は、前方に向かって膨出しており、その上皿２６の右側には、球貸し操作ボタン２４と球貸し状態表示モニター２５とが並べて配置されている。また、図５に示すように、ガラス扉９５の後面側には、上皿２６から後述する球供給装置４２に遊技球を送給するための球通路２６Ａが開口している。また、ガラス扉９５には、この球通路２６Ａを遮断可能なシャッタ２７が設けられている。シャッタ２７は、ガラス扉９５に軸支されてガラス扉９５の後端面と平行な面内で回動可能なシーソー構造をなしている。そして、その回動軸から一方に延びた作動部２７Ｃが、球通路２６Ａの開口の一部を遮った遮断位置と、その遮断位置から作動部２７Ｃが上方に移動して球通路２６Ａの開口から退避した開通位置との間で往復動可能になっている。
【００４０】
シャッタ２７のうち回動中心部の前面側には、トーションスプリング２７Ｓが備えられている。そして、ガラス扉９５が開かれた状態（前面枠９０の前面から離間した状態）では、トーションスプリング２７Ｓの弾発力によってシャッタ２７が遮断位置に保持されて球通路２６Ａを遮断している。その遮断位置にシャッタ２７が配置されると、遊技球がせき止められ、球通路２６Ａの開口から遊技球が排出されなくなる。
【００４１】
シャッタ２７のうち回動軸を挟んで作動部２７Ｃと反対側に延びた受圧部２７Ａには、ガラス扉９５の前面側に向かって斜め上方に張り出した摺接片２７Ｂが備えられている。そして、ガラス扉９５が閉じられると、前面枠９０側から前方に突出した開放シャフト４３Ｃが摺接片２７Ｂに摺接してシャッタ２７が開通位置に移動する。これにより、遊技球が球通路２６Ａから排出可能になる。
【００４２】
前面枠９０の前面のうちガラス扉９５の下方には、図１に示すように、皿扉２９が取り付けられている。この皿扉２９の前面には、その中央に下皿２８（本発明の「皿部材」に相当する）が設けられている。下皿２８は、パチンコ遊技機１０の前方に膨出してここに遊技球が貯留可能になっている。そして、上記した球抜きボタン２３を押圧操作すると、上皿２６に貯留された遊技球が下皿２８に排出される。下皿２８には、ファール球等も貯留される。皿扉２９のうち下皿２８の左側方には、遊技スイッチ５３が設けられている。この遊技スイッチ５３を押圧すると、液晶表示部３２で変動表示されている画像、例えば、キャラクタ画像を、遊技者の任意のタイミングで停止させることができる。また、下皿２８の右側方には、球排出ボタン５２が設けられている。この球排出ボタン５２を押圧すると、下皿２８に貯留された遊技球をパチンコ遊技機１０の外部に排出することができる。
【００４３】
皿扉２９は、第１ヒンジ機構８０Ｈと同じ側の側部に備えた第４ヒンジ機構２９Ｈによって前面枠９０に回動可能に連結されている。そして、前面枠９０のうち、第４ヒンジ機構２９Ｈから前面枠９０の横方向における途中部分までが皿扉２９に覆われ、残りの部分が前面枠９０の下側一角部に開閉不可能に固定された角部カバー８６（本発明の「操作部後方カバー」に相当する）によって覆われている。なお、皿扉２９と角部カバー８６とにより、本発明の「下部カバー体」が構成される。
【００４４】
以下、発射装置７０について詳説する。発射装置７０は、前面枠９０の前面に重ねて取り付けられる板状のベース部材６５に、打撃槌６７、球供給装置４２等の複数の部品を組み付けてなる。図７に示すようにベース部材６５の下端部からは、一側方に向けてノブ対応突片６５Ａが張り出されている。また、ノブ対応突片６５Ａの前面には操作部連絡部材７２（本発明の「操作部連絡部材」に相当する）が取り付けられている。操作部連絡部材７２の軸心部には、図９に示すように軸孔７２Ａ（本発明の「軸保持部」に相当する）が貫通しており、ベース部材６５にはその軸孔７２Ａの同心上に貫通孔が形成されている。そして、その貫通孔にノブ対応突片６５Ａの後面側から中継スリーブ７３が挿入され、軸孔７２Ａと中継スリーブ７３とが同軸上に配置される。また、ノブ対応突片６５Ａ及び操作部連絡部材７２は、図６に示すように角部カバー８６によって前面側を覆われている。
【００４５】
中継スリーブ７３は、操作部連絡部材７２内に挿入された連結筒部７３Ｂの一端に扇形の巻取盤７３Ａを有してなる。その連結筒部７３Ｂの内側には、操作ノブ５０の連結シャフト５０Ｓ（図５参照）が挿入されて一体回転可能に連結されている。これにより、ダイヤル部５０Ａの回動操作を連結シャフト５０Ｓを介して、中継スリーブ７３に伝達することができる。図８に示すように巻取盤７３Ａは、ベース部材６５の後面に一体形成されたストッパ６５Ｓによって回動範囲を規制されている。また、ベース部材６５の後面には、抜け止め蓋７３Ｃが巻取盤７３Ａを跨ぐようにしてベース部材６５に固定され、これにより中継スリーブ７３が抜け止めされている。
【００４６】
ベース部材６５の後面側のうち巻取盤７３Ａの側方には、弾発エレメント６２が取り付けられている。弾発エレメント６２は、図９に示すように、円筒スリーブ６２Ｔの両端部に回動リング６３と回動キャップ６４とを回動可能に軸支すると共に、円筒スリーブ６２Ｔの中間部分に挿通した捻りコイルバネ６６で回動リング６３と回動キャップ６４とを連結した構造になっている。そして、ベース部材６５の後面に座ぐって形成された円形凹部（図示せず）に円筒スリーブ６２Ｔの一端が嵌合固定され、回動リング６３がベース部材６５側に配置されている。
【００４７】
図８に示すように、回動リング６３は、前記した巻取盤７３Ａにワイヤ６２Ｗで連結されている。そのワイヤ６２Ｗは、その両端部が回動リング６３の周面と巻取盤７３Ａの周面とにそれぞれ沿わされ、中間部が回動リング６３と巻取盤７３Ａとの間に張られている。これにより、操作ノブ５０（図４参照）の操作に連動して、回動キャップ６４が回動し、捻りコイルバネ６６の捻れ量が変更される。
【００４８】
回動キャップ６４には、側方に張り出したトルクアーム６４Ａが備えられ、そのトルクアーム６４Ａの先端からベース部材６５に向かって摺接ボス６４Ｂが突出している。回動キャップ６４の中心部には、槌支軸６９が一体回転可能に支持され、その槌支軸６９がベース部材６５を貫通し、ベース部材６５の前面側に突出している。また、ベース部材６５には、円筒スリーブ６２Ｔを嵌合固定した円形凹部（図示せず）の内側に、ベアリング嵌合孔（図示せず）が貫通形成され、そこに嵌合したベアリング（図示せず）により槌支軸６９が回転可能に支持されている。そして、ベース部材６５の前面側から槌支軸６９に、打撃槌６７が取り付けられている。
【００４９】
図９に示すように打撃槌６７は、ベース部材６５の前面と平行になって斜め上下方向に延びた本体部６７Ｈを有し、その本体部６７Ｈの下端寄り位置には、取付孔（図示せず）が形成されている。そして、槌支軸６９のうちベース部材６５の前面側に突出した部分（図７参照）を、ワッシャ（図示せず）、打撃槌６７の取付孔、スプリングワッシャ（図示せず）に順番に挿通して、槌支軸６９の先端に形成された螺子部にナットＮ１（図７参照）が締め付けられている。これにより、打撃槌６７が槌支軸６９に固定されている。
【００５０】
図７に示すように本体部６７Ｈの上端部には、回動方向に槌先端部６７Ｓが突出している。詳細には、本体部６７Ｈの上端部は、湾曲して先端面が操作部連絡部材７２と反対側を向いている。そして、その先端面に、図示しないピン孔が形成され、そこに打撃ピン６７Ｐが圧入されると共に、その打撃ピン６７Ｐの外側に打撃スプリング６７Ｃが嵌合固定されている。そして、これら打撃ピン６７Ｐと打撃スプリング６７Ｃとから本発明に係る槌先端部６７Ｓが構成されている。
【００５１】
なお、打撃スプリング６７Ｃは、コイル形状をなし、そのコイル径が先端側に向かって徐々に小さくなっている。また、その打撃スプリング６７Ｃの先端面が、巻回軸方向と直交した平坦面になるように加工されている。
【００５２】
ベース部材６５の前面のうち打撃槌６７を挟んで操作部連絡部材７２と反対側には、槌ストッパ７４が取り付けられている。槌ストッパ７４は、樹脂ボディ７４Ａに円形ゴム７４Ｂを固定してなり、その円形ゴムが打撃槌６７における長手方向の中間部に当接して打撃槌６７を打撃位置に停止させる。
【００５３】
ベース部材６５の前面のうち打撃槌６７との間で槌ストッパ７４を挟む位置には、打撃用モータ７５が取り付けられている。そして、打撃槌６７は、この打撃用モータ７５の駆動力を後述するカム機構を介して受けて槌ストッパ７４に接離するように往復回動し、打撃槌６７が槌ストッパ７４側に移動したときに遊技球を弾く。
【００５４】
図１０に示すようにベース部材６５の前面のうち槌ストッパ７４及び打撃用モータ７５の上方には、レール取付溝６５Ｄが形成されている。レール取付溝６５Ｄは、ベース部材６５のうちノブ対応突片６５Ａと反対側の側縁の上端部で側方に開放しており、その開放口から槌ストッパ７４の上側部分に向かって一定の幅で斜め下方に延びている。また、レール取付溝６５Ｄの下端部からは、レール取付溝６５Ｄと直交する斜め上方に分岐溝６５Ｅが連続して延びている。分岐溝６５Ｅは、レール取付溝６５Ｄと同じ深さでレール取付溝６５Ｄより幅狭になっている。
【００５５】
レール取付溝６５Ｄには、発射レール４０が取り付けられている。発射レール４０は、板金（例えば、ステンレス製）を断面略Ｍ字形に屈曲してなり、互いに対向した１対の板金側壁部４０Ａ，４０Ｂと、それら板金側壁部４０Ａ，４０Ｂの上縁部間でＶ字状になった誘導壁４０Ｃとを備えている。また、発射レール４０は、レール取付溝６５Ｄの長手方向全体に亘って延びている。図１１には、ベース部材６５及び発射レール４０の断面図が示されている。同図に示すように、発射レール４０の幅は、遊技球１つ分より僅かに大きくなっている。そして、一方の板金側壁部４０Ａが、ベース部材６５におけるレール取付溝６５Ｄの奥面に宛がわれると共に、レール取付溝６５Ｄの下縁部側に偏在した状態に配置され、誘導壁４０Ｃの上面とレール取付溝６５Ｄの上縁部との間に遊技球１つ分の間隔が開けられている。
【００５６】
一方の板金側壁部４０Ａには、長手方向の両端寄り位置に、図１１に示した位置決貫通孔４０Ｈが貫通成形されている。これらに対応して、他方の板金側壁部４０Ｂには、両位置決貫通孔４０Ｈとの対向位置に、位置決貫通孔４０Ｈより小径の螺子挿通孔４０Ｊが貫通成形されている。これに対応して、レール取付溝６５Ｄの奥面における長手方向の両端部からは、取付支柱６５Ｔがそれぞれ突出している。取付支柱６５Ｔは、ベース部材６５に一体成形され、先端に向かうに従ってテーパー状に縮径している。また、取付支柱６５Ｔの軸心部は空洞になっており、取付支柱６５Ｔの先端部内周面に雌螺子部６５Ｕが形成されている。そして、各取付支柱６５Ｔが、一方の板金側壁部４０Ａにおける各位置決貫通孔４０Ｈを挿通されると共に、取付支柱６５Ｔの先端面が、他方の板金側壁部４０Ｂの内側から螺子挿通孔４０Ｊの開口縁に対向している。この状態で、取付支柱６５Ｔの雌螺子部６５Ｕに、他方の板金側壁部４０Ｂの外側から螺子４０Ｎが螺合されている。これにより、他方の板金側壁部４０Ｂが、螺子４０Ｎのヘッド部と取付支柱６５Ｔの先端面とに挟まれて固定され、一方の板金側壁部４０Ａが取付支柱６５Ｔの軸部によって位置決めされかつ支持されている。また、本実施形態では、ベース部材６５におけるレール取付溝６５Ｄの奥面に発射レール４０の一側面を宛がって固定したので、ベース部材６５からの発射レール４０の突出量を抑えることができる。
【００５７】
図１０に示すように分岐溝６５Ｅには、球停止部材４１が取り付けられている。球停止部材４１は、図８に示すように断面台形の角筒構造をなし、球停止部材４１の一端に備えた底壁（図示せず）の底壁中心部を貫通した螺子４１Ｎによりベース部材６５に固定されている。また、底壁からは、螺子４１Ｎを挟んだ両側に１対の突起４１Ｐ，４１Ｐが突出しており、これら突起４１Ｐ，４１Ｐがベース部材６５に貫通成形した位置決め孔に嵌合されている。
【００５８】
図１０に示すように球停止部材４１は、互いに平行になった１対の側壁面４１Ａ，４１Ａが、発射レール４０の長手方向で対向するように配置され、一方の側壁面４１Ａが発射レール４０の下端面に対して略面一になっている。また、両側壁面４１Ａ，４１Ａの間で傾斜したテーパー面４１Ｂが、発射レール４０の下端部に上方から臨んでおり、テーパー面４１Ｂと発射レール４０の上面との間隔が、斜め下方に向かうに従って徐々に狭くなっている。そして、発射レール４０上に遊技球（図８及び図１０の符号Ｙ）が供給されると、その遊技球が自重により発射レール４０の下端側に転動して球停止部材４１のテーパー面４１Ｂに当接し発射レール４０上の打撃待機位置に停止する。このとき、遊技球は、図１２に示すように発射レール４０の誘導壁４０ＣにおけるＶ字形底面によって誘導壁４０Ｃの幅方向の中心に配置されると共に、発射レール４０の下端側に向かうに従って徐々に接近する球停止部材４１のテーパー面４１Ｂ（図８参照）により、遊技球の上下方向の跳ね上がりが抑えられる。これにより、遊技球が安定して発射レール４０の打撃待機位置に停止する。また、前記した打撃槌６７が槌ストッパ７４に当接して打撃位置に移動すると、打撃槌６７の槌先端部６７Ｓが球停止部材４１と発射レール４０との間隙部に突入して、打撃待機位置の遊技球を弾く。これにより、遊技球が発射レール４０に沿って斜め上方に向けて発射される。
【００５９】
なお、前記した誘導レール１２の端部は、発射レール４０の延長線から若干下方にオフセットした位置に配置されており、発射装置７０から発射された遊技球が誘導レール１２により遊技領域Ｒ１へと案内される。
【００６０】
図９に示すようにベース部材６５の前面側には、発射レール４０、球停止部材４１に重ねて球供給装置４２が取り付けられている。球供給装置４２は、透明な樹脂製のケース体４２Ｃの内部に、図１３に示した従動部材４６と開閉部材４５とを収容している。ケース体４２Ｃは、ケース本体４４にケース蓋４３を組み付けてなる。ケース本体４４は、ベース部材６５と平行なベース対向壁４４Ａを有し、そのベース対向壁４４Ａの外縁部から前側（ベース部材６５から離れる側）に包囲壁４４Ｂを起立してその内側に収容空間を備えている。
【００６１】
ケース蓋４３は、包囲壁４４Ｂの前面開口全体を覆う略平板状をなしている。また、ケース蓋４３の一側縁部とケース本体４４の一側縁部との間にはヒンジ機構４３Ｈ（図７参照）が備えられ、その一側縁部を中心にケース蓋４３が開閉可能になっている。さらに、ケース蓋４３とケース本体４４との間には、ヒンジ機構４３Ｈと反対側の縁部に係止機構４３Ｋ（図７参照）が備えられ、この係止機構４３Ｋによってケース蓋４３が閉止状態に保持されている。
【００６２】
ケース本体４４におけるベース対向壁４４Ａの後面側には、上縁部と両側縁部の一部とから後方に向けて嵩上げ壁４４Ｃが起立している。また、ベース対向壁４４Ａにおける一方の側縁部の嵩上げ壁４４Ｃの先端からロック片４４Ｄ（図８参照）が延設されている。さらに、ベース対向壁４４Ａの他方の側縁部側の上側角部には、包囲壁４４Ｂより外側に取付壁４４Ｅ（図１３参照）が張り出され、その取付壁４４Ｅをナイラッチ４４Ｆが前後方向に貫通している。
【００６３】
これに対し、ベース部材６５には、図１０に示すように、ノブ対応突片６５Ａが張り出された側の上端角部に、ラッチ孔６５Ｈが形成されると共に、反対側の上端角部寄り位置に、縦長の係止スリット６５Ｇが形成されている。そして、ケース本体４４のロック片４４Ｄを係止スリット６５Ｇに係止し、そのロック片４４Ｄ（図８参照）を中心にしてケース本体４４を回動させてナイラッチ４４Ｆをラッチ孔６５Ｈに係止することで、嵩上げ壁４４Ｃの先端面がベース部材６５の前面に突き当てられた状態でケース本体４４がベース部材６５に固定されている。これにより、ベース対向壁４４Ａがベース部材６５から浮いた状態に保持されている。また、ベース対向壁４４Ａは、発射レール４０及び球停止部材４１からも浮いている。
【００６４】
図１４に示すようにベース対向壁４４Ａには、遊技球が１つ通過可能な球出口４４Ｇが貫通形成されている。また、ケース本体４４には、球出口４４Ｇの上側部分から発射レール４０と平行な斜め上方に向けて遊技球誘導路４４Ｈが延びている。さらに、ケース蓋４３には、遊技球誘導路４４Ｈの上端部に対応した位置に、遊技球が１つ通過可能な球流入口４３Ａが貫通形成されている。そして、上皿２６の球通路２６Ａの開口が、球流入口４３Ａに対面する。また、ケース蓋４３の上端部からは、図１２に示すように前方に向けて開放シャフト４３Ｃが突出している。そして、ガラス扉９５を閉じたときに、前述の如く、開放シャフト４３Ｃがシャッタ２７の摺接片２７Ｂに摺接してシャッタ２７が開き、上皿２６に貯留された遊技球が球通路２６Ａから球流入口４３Ａへの遊技球が流れ込む。
【００６５】
ケース本体４４には、図１４に示すように、遊技球誘導路４４Ｈの中間部分の下面から分岐した球排出路４４Ｋが設けられている。そして、開閉部材４５がケース本体４４のうち遊技球誘導路４４Ｈの下方に回動可能に軸支され、その開閉部材４５の回動位置に応じて遊技球誘導路４４Ｈから球排出路４４Ｋへの分岐口４４Ｚが開閉される。また、開閉部材４５は、コイルバネ４５Ａによって分岐口４４Ｚを常には閉塞するように付勢されている。さらに、図１２に示すように開閉部材４５には、ケース蓋４３に向けて突出した操作突起４５Ｂが備えられ、この操作突起４５Ｂがケース蓋４３に形成された長孔４３Ｂを通して球供給装置４２から前方に突出している。そして、上記した球抜きボタン２３が操作突起４５Ｂに連結されている。これにより、球抜きボタン２３を操作することで、遊技球誘導路４４Ｈ内の遊技球が下皿２８に排出することができる。この結果、上皿２６から遊技球誘導路４４Ｈ内に補充されても、球抜きボタン２３が操作されている間は、それら補充された遊技球も順次下皿２８に排出される。
【００６６】
ベース対向壁４４Ａのうち球出口４４Ｇの上方には、カム連結孔４４Ｌが貫通成形されている。このカム連結孔４４Ｌに対応して、ベース部材６５には、図８に示すようにカム連結窓６５Ｃが貫通成形されている。また、図１３に示すように、ベース対向壁４４Ａのうち球出口４４Ｇ及びカム連結孔４４Ｌを挟んで遊技球誘導路４４Ｈと反対側の側部寄り位置からは、回動支軸４４Ｍが起立しており、ここに従動部材４６が回動可能に軸支されている。従動部材４６は、回動中心から遊技球誘導路４４Ｈ側に向かって広がった略扇形状をなした回動盤４６Ａと、その回動盤４６Ａの上面先端部から立ち上がって後方に延びたカム摺接突部４６Ｂとからなる。そして、カム摺接突部４６Ｂは、両カム連結孔４４Ｌ，６５Ｃを通過してベース部材６５の後面側まで延びている（図９参照）。
【００６７】
カム摺接突部４６Ｂのうちベース部材６５の後方側に突出した先端部は、図１３に示すように、円柱体を縦割りに略２分割した形状をなし、その縦割りの円柱体における円弧面が下方に向けられて円弧摺動面４６Ｅが形成されている。また、カム摺接突部４６Ｂは、長手方向の中間部分から回動盤４６Ａからの立ち上がり部に向かうに従って下方に膨らみ、これにより強度アップが図られている。
【００６８】
回動盤４６Ａのうち回動中心から離れた側が、丸みを帯びてその一部が遊技球誘導路４４Ｈの終端開口４４Ｘに対向した対向面４６Ｆになっている。回動盤４６Ａのうちその対向面４６Ｆの上下方向における中間位置には球受容部４６Ｃが陥没形成されている。球受容部４６Ｃは、回動盤４６Ａの板厚方向にも開放しており、その内面はベース対向壁４４Ａ側に向かって下っている。なお、従動部材４６全体は、合成樹脂で構成され、球受容部４６Ｃの下方には、金属製のウエイト４６Ｄが組み込まれている。
【００６９】
従動部材４６は、ケース本体４４に備えた１対の回動規制ストッパ４４Ｓ１，４４Ｓ２によって可動範囲が規制されている。そのうち一方の回動規制ストッパ４４Ｓ１は、ベース対向壁４４Ａから起立した構造をなし、回動盤４６Ａの上面に当接可能になっている。また、他方の回動規制ストッパ４４Ｓ２は、包囲壁４４Ｂの一部を内側に張り出してなり、回動盤４６Ａの下面に当接可能になっている。
【００７０】
そして、従動部材４６が、可動範囲のうち上端寄りの本発明に係る球受容位置に配置されると、図１４に示すように球受容部４６Ｃが遊技球誘導路４４Ｈの終端開口４４Ｘに対向して遊技球誘導路４４Ｈから遊技球を１つ受け取ることができる。また、その球受容位置から僅か下方に従動部材４６が移動して球規制位置に至ると、球受容部４６Ｃが終端開口４４Ｘからずれて終端開口４４Ｘからの遊技球の排出を禁止し、球受容部４６Ｃ内には遊技球が保持された状態になる。さらに、そこから従動部材４６が下方に移動して可動範囲のうち下端寄りの本発明に係る球排出位置に配置されると、図１５に示すように、球受容部４６Ｃが終端開口４４Ｘからずれて終端開口４４Ｘからの遊技球の排出が禁止されると共に、球受容部４６Ｃの側面が球出口４４Ｇに対向し、球受容部４６Ｃからケース体４２Ｃの外部に遊技球が排出される。そして、球出口４４Ｇから排出された遊技球が発射レール４０を下り、球停止部材４１に当接して停止する。なお、球受容位置では、従動部材４６が上側の回動規制ストッパ４４Ｓ１に対して若干下方に離れた位置まで接近する。一方、球排出位置では、従動部材４６が下側の回動規制ストッパ４４Ｓ２に対して若干上方に離れた位置まで接近する。
【００７１】
回動盤４６Ａの前面のうち球受容部４６Ｃより回動中心側の部位からは、操作突部４６Ｇがケース蓋４３に向けて突出している。操作突部４６Ｇは、直径８〜１０ｍｍ程度で断面円形になっており、その先端面には、上側を差した矢印状の指示刻印４６Ｈが陥没成形されている。この操作突部４６Ｇに対し、ケース蓋４３には、操作窓４３Ｗが貫通形成され、そこに操作突部４６Ｇが収まっている。この操作窓４３Ｗは、角部が丸みを帯びた正方形になっており、回動盤４６Ａを回動するとすると、その対角線に沿って操作突部４６Ｇが移動する。また、回動盤４６Ａを回動規制ストッパ４４Ｓ１，４４Ｓ２に当接する位置まで回動しても、操作突部４６Ｇは操作窓４３Ｗの内面には当接しないようになっている。さらに、ケース蓋４３の前面には操作窓４３Ｗの上方と両側方を覆うように突条４３Ｄが突出形成されている。また、ケース蓋４３の上縁寄り位置には、「矢印の方向に上げて本体につける」という注意書きを刻印した注意書表示部４３Ｅが設けられている。
【００７２】
図８に示すように、ベース部材６５の後面には、球供給装置４２と打撃槌６７とを同期させて駆動するためのカム機構が設けられている。具体的には、ベース部材６５の後面には、前記した打撃用モータ７５の回転軸が突出し、その回転軸にピニオンギヤ７６Ａが固定されている。そのピニオンギヤ７６Ａの斜め上方には、アイドルギヤ７６Ｂが回転可能に軸支され、ピニオンギヤ７６Ａに噛合している。また、ベース部材６５の後面のうちアイドルギヤ７６Ｂと、その斜め下方に位置した弾発エレメント６２との間には、打撃カムギヤ７６Ｃが回転可能に軸支され、アイドルギヤ７６Ｂに噛合している。さらに、アイドルギヤ７６Ｂを上下方向で間に挟んで打撃カムギヤ７６Ｃとほぼ対称な位置には、球供給カムギヤ７６Ｄが回転可能に軸支され、アイドルギヤ７６Ｂに噛合している。
【００７３】
アイドルギヤ７６Ｂは、全体として円板状になった平ギヤである。打撃カムギヤ７６Ｃは、円板形の平ギヤ部７６Ｃ１の一端面に打撃用カム７７を一体成形して備えている。球供給カムギヤ７６Ｄは、円板形の平ギヤ部７６Ｄ１の一端面に球供給用カム７８を一体成形して備えている。また、アイドルギヤ７６Ｂ、打撃カムギヤ７６Ｃ及び球供給カムギヤ７６Ｄは、共に合成樹脂の成形品であり、打撃カムギヤ７６Ｃと球供給カムギヤ７６Ｄとは、異なる色（例えば、水色と黒）の合成樹脂で成形され、これにより容易に両者を識別可能になっている。
【００７４】
打撃用カム７７は、回転軸方向から見ると全体が略半円形になっており、その略半円形の直線部分の一端部が平ギヤ部７６Ｃ１の中心部に配置され、他端部が平ギヤ部７６Ｃ１から外側に張り出している。詳細には、打撃用カム７７のうち前記略半円形の直線部分を構成する直線壁７７Ａは、平ギヤ部７６Ｃ１の回転中心を通過する線上に配置されている。また、平ギヤ部７６Ｃ１の中心部には円筒壁７７Ｃが起立しており、その円筒壁７７Ｃから直線壁７７Ａが立ち上がっている。さらに、略半円形の円弧部分を構成する円弧壁７７Ｂは、円筒壁７７Ｃのうち直線壁７７Ａの立ち上がり部分の反対側から緩やかに立ち上がって丸みを帯び、インボリュート曲線のように、徐々に曲率が大きくなって先端が円弧壁７７Ｂに繋がっている。
【００７５】
そして、この円弧壁７７Ｂの外周面に、弾発エレメント６２の摺接ボス６４Ｂが摺接することで、打撃用カム７７が槌ストッパ７４から離れるように回動する。このとき、弾発エレメント６２の回動キャップ６４と回動リング６３との間で捻りコイルバネ６６が捻れ変形し、弾発力が蓄えられる。そして、摺接ボス６４Ｂが打撃用カム７７の先端を通過すると、捻りコイルバネ６６の弾発力が解放されて摺接ボス６４Ｂが打撃用カム７７の直線壁７７Ａに沿って移動し、打撃槌６７が回動キャップ６４と共に急峻に回動して槌ストッパ７４に当接する打撃位置に至る。これにより、遊技球が発射される。
【００７６】
球供給用カム７８は、打撃用カム７７と同様の構造をなし、略半円形の直線部分を構成する直線壁７８Ａと円弧部分を構成する円弧壁７８Ｂとを備えている。また、円筒壁７８Ｃのうち直線壁７７Ａの立ち上がり部分の反対側からは平ギヤ部７６Ｄ１の外縁部まで接線壁７８Ｄが円筒壁７８Ｃの接線方向に延びており、その球供給カムギヤ７６Ｄの先端から円弧壁７８Ｂが直線壁７８Ａの先端まで円弧状に延びている。
【００７７】
この球供給用カム７８に対して、球供給装置４２の従動部材４６におけるカム摺接突部４６Ｂが斜め上方から当接している。詳細には、カム摺接突部４６Ｂは、従動部材４６に備えたウエイト４６Ｄの自重とその従動部材４６の自重とによりカム摺接突部４６Ｂが球供給用カム７８側に付勢されて、球供給用カム７８に押し付けられている。
【００７８】
球供給用カム７８が回動すると、図１６（Ａ）に示すように球供給用カム７８の円弧壁７８Ｂに、カム摺接突部４６Ｂの円弧摺動面４６Ｅが摺接して、その摺接位置が円弧壁７８Ｂの接線壁７８Ｄ側から直線壁７８Ａ側へと移動する。すると、これに伴ってカム摺接突部４６Ｂが押し上げられ、これにより従動部材４６が可動範囲の上端側に移動する。そして、球供給用カム７８のうち円弧壁７８Ｂと直線壁７８Ａとの交点に位置した本発明に係るピーク部７８Ｐが、図１６（Ｂ）に示すように円弧摺動面４６Ｅの周方向における中心に接した状態になると、従動部材４６が球供給用カム７８によって最もその球供給用カム７８の回動中心から離される。このとき、従動部材４６が前記球受容位置に位置し、遊技球誘導路４４Ｈから球受容部４６Ｃに遊技球が受け入れられる。そして、そこから球供給用カム７８が僅かに回動して、図１６（Ｃ）に示すようにピーク部７８Ｐが円弧摺動面４６Ｅの周方向における一端部に移動すると、従動部材４６が僅かに下方に下がって（沈んで）、前記球規制位置に至り、遊技球誘導路４４Ｈからの遊技球の排出を規制し、球受容部４６Ｃに遊技球を保持した状態になる。さらに、球供給用カム７８が回動すると、ピーク部７８Ｐが円弧摺動面４６Ｅから離れ、カム摺接突部４６Ｂが円弧壁７８Ｂに沿って一気に球供給用カム７８の回動中心側に移動する。これにより、従動部材４６が、前記球排出位置に至り、球受容部４６Ｃから発射レール４０上に遊技球を排出する。このようにして、打撃槌６７の動作に同期して従動部材４６が上下に往復動し、球供給装置４２から発射レール４０上に遊技球が１球ずつ供給される。
【００７９】
なお、打撃槌６７が打撃位置から離れたタイミングで球供給装置４２から遊技球が供給されるように、打撃用カム７７と球供給用カム７８とがギヤ連結されている。そのために、アイドルギヤ７６Ｂの周縁部には、三角形突起ＭＫ１と丸形突起ＭＫ２とが間隔を開けて形成され、これらに対応させて打撃カムギヤ７６Ｃにおける平ギヤ部７６Ｃ１の周縁部には、三角形突起ＭＫ１が形成され、さらに、球供給カムギヤ７６Ｄにおける平ギヤ部７６Ｄ１の周縁部には、丸形突起ＭＫ２が形成されている。そして、三角形突起ＭＫ１，ＭＫ１同士を向かい合わせると共に、丸形突起ＭＫ２，ＭＫ２同士を向かい合わせてこれらギヤ７６Ｂ，７６Ｃ，７６Ｄを噛合させれば、上記のタイミングが図れられるようになっている。
【００８０】
発射装置７０に関する構成の説明は、以上である。次いで、角部カバー８６について説明する。図１７に示す角部カバー８６は、合成樹脂からなる装飾部８７の後面側に、板金からなる基板部８８を嵌め込んで螺子止めして形成されている。この角部カバー８６は、上方に向かうに従って左右方向の幅が狭くなった形状をなし、錠部材取付孔８６Ｋとカバー貫通孔８６Ｓとが上から順に設けられている。
【００８１】
錠部材取付孔８６Ｋは、装飾部８７に貫通形成された断面円形の鍵穴露出孔８７Ｋと、基板部８８に貫通形成された断面が幅広十文字の錠部材挿通孔８８Ｋとを、前後方向に重ねて形成されている。そして、この錠部材取付孔８６Ｋの後方から、前面枠９０の前面から突出する錠装置９０Ｋ（図１８参照）が挿入されると、錠装置９０Ｋの先端面に形成された断面円形の鍵穴部９０Ｓが、鍵穴露出孔８７Ｋに嵌め込まれた状態で露出する。そして、図１に示すように角部カバー８６の前面に露出した鍵穴部９０Ｓに設けられた鍵穴９０Ｆに所定の鍵を挿入して解錠操作することで、ガラス扉９５、前面枠９０及び外枠８２を閉止状態にするための図４に示す解錠装置８５が解錠され、ガラス扉９５等を開けることができる。そして、ガラス扉９５を開けた状態で、皿扉２９の上縁部のうち角部カバー８６寄りの位置に突出する解除突起２９Ｇを押下すると、皿扉２９の後面に設けられた可動フック２９Ｆ（図５参照）と、角部カバー８６の基板部８８から側方に突出する係止片８８Ｆ（図５参照）との係止が解除されて皿扉２９を開くことができる。なお、ガラス扉９５等は、閉じると施錠される。そして、ガラス扉９５が閉止状態になると、図５に示すように、基板部８８の上端部から突出する係止フック８８Ｇが、ガラス扉９５の下端部に係止する。
【００８２】
カバー貫通孔８６Ｓは、図１７に示すように、角部カバー８６の下端部にあって、装飾部８７に形成されたノブ固定孔８７Ｓと、基板部８８に形成された連絡部材挿通孔８８Ｓとを、前後方向に重ねて配置してなる。ノブ固定孔８７Ｓは、装飾部８７の前面に突設されかつ先端部に向かって縮径する一端有底の円筒状をなしかつ、その底部の中心部に突部挿通孔８７Ｔが前後方向に貫通形成されている。この突部挿通孔８７Ｔは、操作部連絡部材７２の先端面に突出形成された先端突部７２Ｔ（図９参照）より僅かに大きく形成されている。また、突部挿通孔８７Ｔの周りには、図１９に示すように、螺子孔及び電線挿通孔が貫通形成されている。一方、図１７に示す連絡部材挿通孔８８Ｓは、ノブ固定孔８７Ｓよりも僅かに大きい円形の部位と、その円形の部位の一部を矩形状に下方に拡張した部位とからなり、前後方向に貫通形成されている。
【００８３】
角部カバー８６のカバー貫通孔８６Ｓには、図６に示す操作ノブ５０（本発明の「発射操作部」に相当する）が取り付けられている。この操作ノブ５０は、図２０に示すように、ダイヤル部５０Ａとダイヤル固定部５０Ｂとからなる。ダイヤル固定部５０Ｂは、外径が略一定の円筒状に形成された軸部と、その軸部の先端から前方に向かって拡径して皿状に形成され先端拡径部とで構成されている。
【００８４】
ダイヤル部５０Ａには、前方に向かって膨出した半球体の周縁に３つの指係止突部が突設されている。このダイヤル部５０Ａの後面の中心部からは、連結シャフト５０Ｓ（本発明の「伝達軸部」に相当する）が突設されている。そして、連結シャフト５０Ｓを、ダイヤル固定部５０Ｂを前後方向に貫通して形成された挿通孔に前側から挿通し、ダイヤル部５０Ａの後面をダイヤル固定部５０Ｂの先端拡径部に宛がった状態にしてダイヤル固定部５０Ｂの後面側から螺子止めされている。これにより、ダイヤル部５０Ａがダイヤル固定部５０Ｂに対して回動可能に固定され、操作ノブ５０が形成されている。なお、連結シャフト５０Ｓは、ダイヤル部５０Ａと一体に回動する。
【００８５】
操作ノブ５０は、角部カバー８６のカバー貫通孔８６Ｓに前面側から挿通され、連結シャフト５０Ｓを連絡部材挿通孔８８Ｓより後方に突出させかつ、ダイヤル固定部５０Ｂの軸部をノブ固定孔８７Ｓの底部に宛がった状態にして装飾部８７の後面側から螺子止めされている。
【００８６】
基板部８８の後面のうち連絡部材挿通孔８８Ｓの上方及び皿扉２９側の側方は、図１７に示す誘導部材８８Ｂで覆われている。この誘導部材８８Ｂは、透明材料で形成され、角部カバー８６の後面から後方に張り出されると共に、鉛直方向に対して傾斜した誘導面８８Ｒを有している。具体的には、図１８に示すように、誘導部材８８Ｂは、全体として、連絡部材挿通孔８８Ｓの上方から皿扉２９側の下側角部に向かって斜めに延びており、打撃槌６７の回動中心である槌支軸６９の上方位置から下方位置に亘って設けられている。また、誘導部材８８Ｂは、基板部８８と対向する底板８８Ｐと、底板８８Ｐの周縁から前方に向かって突出して底板８８Ｐの前面を囲む囲壁８８Ｗとで形成されている。この底板８８Ｐは、図１７に示すように、長手方向の中間部に段差が設けられており、上側の底板８８Ｐが下側の底板８８Ｐに対して、例えば、約３ｍｍ前方にずれている。また、囲壁８８Ｗのうち連絡部材挿通孔８８Ｓ側に配置された囲壁８８Ｗは、連絡部材挿通孔８８Ｓの形状に対応して円弧状に湾曲した部分と、この円弧状に湾曲した部分の一端側から鉛直下方に延びる部分とで形成されている。一方、皿扉２９側に配置された囲壁８８Ｗの上向き面は、角部カバー８６の側面の傾斜と略同一の勾配で傾斜しており、その上向き面が本発明の誘導面８８Ｒになっている。誘導面８８Ｒは、連絡部材挿通孔８８Ｓの上方から皿扉２９側の下側角部に向かって斜めに延びかつ、遊技球が幅方向、即ち、前後方向に１球だけ通過可能な幅を備えている。また、誘導面８８Ｒの下端部寄りには、段差８８Ｄが形成されており、この段差８８Ｄを利用して基板部８８を装飾部８７に固定する螺子が設けられている。ここで、図１８では、説明のために操作ノブ５０と、角部カバー８６のうち装飾部８７及び基板部８８とを表示していない。
【００８７】
底板８８Ｐの前面には、図１８に示す１対の固定円柱８８Ｉが突設され、これらの固定円柱８８Ｉの先端面と囲壁８８Ｗの先端面とが略面一に形成されている。また、底板８８Ｐの前面からは、１対の位置決め円柱８８Ｊが突設され、その先端部が囲壁８８Ｗの先端より前方に突出している。誘導部材８８Ｂは、位置決め円柱８８Ｊの先端部を基板部８８に貫通形成された図示しない位置決め孔に挿通しかつ、固定円柱８８Ｉの先端部に設けた螺子孔を基板部８８に設けた図示しない螺子孔に基板部８８の前面側から螺子止めして固定されている。
【００８８】
角部カバー８６は、操作ノブ５０を取り付けた状態で、前面枠９０に取り付けられる。具体的には、角部カバー８６の後面から突出する連結シャフト５０Ｓを、予め前面枠９０の前面に取り付けられた発射装置７０の操作部連絡部材７２の軸孔７２Ａ（図１２参照）に前方から挿入する。そして、操作部連絡部材７２の先端部を連絡部材挿通孔８８Ｓに挿通させ、ノブ固定孔８７Ｓの底部に設けた突部挿通孔８７Ｔに操作部連絡部材７２の先端突部７２Ｔ（図１２参照）を挿入し、ノブ固定孔８７Ｓの底部の後面に操作部連絡部材７２の先端面を当接させる。これにより、角部カバー８６の後面とベース部材６５との間の隙間Ｓ２（図２１参照）が所定の間隔、例えば、２５ｍｍとなるように位置決めすることができる。なお、遊技球の直径は、約１１ｍｍなので、角部カバー８６の後面とベース部材６５との間の隙間Ｓ２に遊技球が前後方向に２個並んで流入し得る。そして、前述のように、錠部材取付孔８６Ｋの後方から、錠装置９０Ｋが挿入される。すると、角部カバー８６が、図６に示すように前面枠９０の一角部における下縁部と一側縁部とに縁部を重ねた状態となり、角部カバー８６が前面枠９０に螺子止めされる。その螺子は、図５に示すように、角部カバー８６の後面より突出するカバー固定支柱８８Ｃの先端に設けられた螺子孔に、前面枠９０の後面側から螺合される。このように、前面枠９０に角部カバー８６を固定する螺子は、角部カバー８６の前面に露出しないようになっているので、角部カバー８６を前面側から取り外しできなくなり、防犯性が高められている。また、角部カバー８６は、前面枠９０に固定しているので、操作ノブ５０の操作時にがたつかない。ここで、発射装置７０及び前面枠９０のうち、角部カバー８６と前後方向に重なる部位が、本発明の「カバー後方部位」となる。
【００８９】
前面枠９０に角部カバー８６が取り付けられると、図６に示すように、前面枠９０の側縁部を形成する側枠部９０Ｇの一側面と、角部カバー８６の誘導面８８Ｒとが連続して配置される。また、この側枠部９０Ｇの前面には、角部カバー８６の後面が宛がわれている。
【００９０】
前面枠９０の前面には、皿扉２９と角部カバー８６との境界部分の後方に発射装置７０が取り付けられ、角部カバー８６の一部が発射装置７０の一部の前方を覆っている。詳細には、角部カバー８６の皿扉２９側の側部は、発射装置７０のうち打撃槌６７の回動中心である槌支軸６９に隣接した位置まで覆っている。そして、角部カバー８６のうち皿扉２９側の側縁部８７Ｅが上下方向の途中から緩やかに傾斜し、その側縁部８７Ｅの中間部分からは三角突片７１Ｄが突出している。また、角部カバー８６を前方から見ると、その三角突片７１Ｄが発射装置７０のベース部材６５における一側縁部に重ねられ、前面枠９０の一角部においてベース部材６５により覆われていない部分を角部カバー８６が前方から覆っている。これにより、ベース部材６５より奥側に異物が入り込むことを防止している。
【００９１】
本実施形態に係るパチンコ遊技機１０の構成の説明は以上の通りである。次に、パチンコ遊技機１０の作用効果の説明を行う。パチンコ遊技機１０にて遊技を行う際には、ダイヤル部５０Ａを回動操作する。すると、カム機構が作動して打撃槌６７が往復回動し、遊技球が１球ずつ発射される。具体的には、図１８に示すように、打撃槌６７が、発射レール４０から離れる方向に回動して誘導部材８８Ｂの後面とベース部材６５の前面との間の隙間（本発明の「槌進退隙間Ｓ１」に相当する）に進入してから回動方向を反転し、発射レール４０に向かって回動して遊技球を打撃する動作を繰り返す。そして、槌部材６７に打撃された遊技球が、発射レール４０及び誘導レール１２からなる本発明の「レール部材」によって遊技領域Ｒ１へと案内される。このとき、角部カバー８６の前面から突出する操作ノブ５０の回動量を変更することで、遊技球の発射力を変更することができる。そして、遊技領域Ｒ１を流下する遊技球の各種入賞口１４Ａ，１４Ｂ，１５，２０，２１，始動ゲート１８等への入球に応じて遊技が進行されていく。
【００９２】
さて、パチンコ遊技機１０の遊技領域Ｒ１で球詰まりが生じた場合には、通常、遊技ホールのホール係がガラス扉９５を開いて、球詰まりを起こした遊技球を取り除く。このとき上皿２６に遊技球が貯留されていても、ガラス扉９５を開いた際に自動的にシャッタ２７が上皿２６の球通路２６Ａを遮断するので、遊技球が飛散するのを防止することができる。次いで、皿扉２９を開いて発射装置７０を検査する。そして、発射装置７０の検査が終了すると、皿扉２９を閉じてからガラス扉９５を閉じる。
【００９３】
このような作業を行う際に、ガラス扉９５及び皿扉２９を開けた状態で、ホール係が角部カバー８６側に遊技球を落とし、角部カバー８６の後側に遊技球が流入することがある。角部カバー８６の後側に遊技球が流入すると、図６に示すように、遊技球が、角部カバー８６の後面に設けられた誘導部材８８Ｂに形成された誘導面８８Ｒに受け止められる。また、遊技球が、角部カバー８６の後面のうち誘導部材８８Ｂよりも上方から錠部材取付孔８６Ｋ側に向かって流入した場合には、側枠部９０Ｇの一側面に当接して落下し、誘導面８８Ｒに受け止められる。ここで、誘導部材８８Ｂの底板８８Ｐには、前述のように前後方向にずれた段差が設けられており、底板８８Ｐのうち前面側にずらされた部分が、打撃槌６７のうち比較的幅広の槌先端部６７Ｓの回動範囲と前後方向に重なり、底板８８Ｐのうち後面側にずらされた部分が、打撃槌のうち比較的幅狭の本体部６７Ｈの回動範囲と前後方向に重なる。これにより、槌進退隙間Ｓ１が過度に広がるのを防止している。具体的には、槌進退隙間Ｓ１の間隔を、図２１に示すように遊技球（図２１の符号Ｙ）１個未満として、角部カバー８６の後側に流入した遊技球が誘導面８８Ｒとベース部材６５との間から落下したり、嵌り込んだりするのを防止している。
【００９４】
誘導面８８Ｒに受け止められた遊技球は、図６に示すように、誘導面８８Ｒにより角部カバー８６の側方に案内される。具体的には、遊技球が、角部カバー８６の後面のうち皿扉２９側の下側角部に向かって案内され、誘導面８８Ｒの下端部から前面枠９０の下辺部に設けられた枠体下辺部９０Ａに排出される。これにより、角部カバー８６の裏側に遊技球が留まることがなくなり、角部カバー８６の後側で遊技球の挟み込みによる不具合、例えば、打撃槌６７と角部カバー８６の後面との間に遊技球が挟み込んで打撃槌６７の回動を制限するといった不具合が発生することを防止することができる。また、この誘導面８８Ｒは、打撃槌６７の回動中心となる槌支軸６９の上方から下方に亘って設けられているので、槌支軸６９より上方で受け止めた遊技球を槌支軸６９の下方まで確実に案内することができる。
【００９５】
誘導面８８Ｒから排出された遊技球は、枠体下辺部９０Ａで受け止められる。そして、枠体下辺部９０Ａ上を、遊技球が、前面枠９０のうち角部カバー８６が取り付けられた側部と反対側の側部に向かって転動するので、ホール係が指で摘み取って回収することができる。ここで、図２１に示す枠体下辺部９０Ａは、その前面が、角部カバー８６の後面及び閉止状態にある皿扉２９の後面に当接すると共に、上面が略平坦に形成されている。この枠体下辺部９０Ａの後端部には、上方に起立する枠体後部壁９０Ｂが設けられている。そして、この枠体後部壁９０Ｂにより、枠体下辺部９０Ａを転動する遊技球が前面枠９０の後方から落下するのが規制されている。
【００９６】
このように本実施形態のパチンコ遊技機によれば、角部カバー８６の後面に誘導面８８Ｒを設けたことにより、角部カバー８６の後側に流入した遊技球を、角部カバー８６を取り外すことなく角部カバー８６の側方に排除して回収することができる。
【００９７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９８】
（１）前記実施形態では、パチンコ遊技機１０に本発明を適用していたが、弾球遊技機であれば、アレンジボール等に備えてもよい。
【００９９】
（２）前記実施形態では、角部カバー８６を前面枠９０の下側角部に取り付けていたが、遊技枠体８０の前面側であれば下側角部以外の位置に取り付けてもよい。
【図面の簡単な説明】
【０１００】
【図１】本発明の一実施形態に係るパチンコ遊技機の正面図
【図２】パチンコ遊技機の分解斜視図
【図３】パチンコ遊技機の後面図
【図４】角部カバー及び発射装置が取り付けられた前面枠の正面図
【図５】ガラス枠、皿扉及び角部カバーの後面側の部分斜視図
【図６】角部カバー及び発射装置が取り付けられた前面枠の部分正面図
【図７】発射装置の正面図
【図８】発射装置の後面図
【図９】発射装置の側面図
【図１０】球供給装置が取り外された状態の発射装置の斜視図
【図１１】発射装置の部分断面図
【図１２】発射装置の斜視図
【図１３】球供給装置の分解斜視図
【図１４】ケース蓋が取り外された発射装置の部分拡大図
【図１５】ケース蓋が取り外された発射装置の部分拡大図
【図１６】（Ａ）球供給用カムとカム摺接突部との摺動状況図、（Ｂ）球供給用カムとカム摺接突部との摺動状況図、（Ｃ）球供給用カムとカム摺接突部との摺動状況図
【図１７】角部カバーを後面側から見た斜視図
【図１８】角部カバー及び発射装置が取り付けられた前面枠の部分正面図（ただし、説明のため操作ノブと角部カバーの装飾枠及び基板部は図示していない）
【図１９】角部カバーの正面図
【図２０】操作ノブを後面側から見た斜視図
【図２１】角部カバー及び発射装置が取り付けられた前面枠の部分側断面図
【図２２】従来のパチンコ遊技機の斜視図
【符号の説明】
【０１０１】
１０    パチンコ遊技機（弾球遊技機）
１２    誘導レール（レール部材）
２８    下皿（皿部材）
２９    皿扉
４０    発射レール（レール部材）
５０    操作ノブ（発射操作部）
５０Ａ    ダイヤル部
５０Ｓ    連結シャフト（伝達軸部）
６５    ベース部材
６７    打撃槌
７０    発射装置
７２    操作部連絡部材
７２Ａ    軸孔（軸保持部）
８０    遊技枠体
８１    遊技機本体
８６    角部カバー（操作部後方カバー）
８６Ｓ    カバー貫通孔
８７Ｋ    鍵穴露出孔
８８Ｂ    誘導部材
８８Ｒ    誘導面
９０Ａ    枠体下辺部
９０Ｂ    枠体後部壁
９０Ｋ    錠装置
９０Ｆ    鍵穴
９５    ガラス扉（上部カバー体）
Ｓ１    槌進退隙間
Ｒ１    遊技領域
【図１】
2007151588.tif 000003
【図２】
2007151588.tif 000004
【図３】
2007151588.tif 000005
【図４】
2007151588.tif 000006
【図５】
2007151588.tif 000007
【図６】
2007151588.tif 000008
【図７】
2007151588.tif 000009
【図８】
2007151588.tif 000010
【図９】
2007151588.tif 000011
【図１０】
2007151588.tif 000012
【図１１】
2007151588.tif 000013
【図１２】
2007151588.tif 000014
【図１３】
2007151588.tif 000015
【図１４】
2007151588.tif 000016
【図１５】
2007151588.tif 000017
【図１６】
2007151588.tif 000018
【図１７】
2007151588.tif 000019
【図１８】
2007151588.tif 000020
【図１９】
2007151588.tif 000021
【図２０】
2007151588.tif 000022
【図２１】
2007151588.tif 000023
【図２２】
2007151588.tif 000024